(57)【特許請求の範囲】
【請求項１】
沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の対向する側壁のそれぞれに突設した固定ブラケットに二叉ブラケットを上向きに突設し、この二叉ブラケットのそれぞれに軸受を固定して配設し、該２つの軸受間に駆動軸に固定される主務スプロケットホイールを配置するとともに、前記対峙するように配設された２組の軸受によって駆動軸の両端部を回転可能に支持するとともに、一方の軸受の外方に延設した駆動軸の延長部に駆動用モータにて駆動される駆動スプロケットホイールを固定し、前記各軸受に歯飛び防止装置を主務スプロケットホイールの外周方向に沿って位置するように配設したことを特徴とする汚泥掻寄機。
【発明の詳細な説明】
【技術分野】
【０００１】
本発明は、汚泥掻寄機に関し、特に、主務スプロケットホイールを取り付けた駆動軸の支持強度を損なうことなくその軸受の個数の減少を図り、かつ据え付け及びメンテナンスの簡易化を図るようにした汚泥掻寄機に関するものである。
【背景技術】
【０００２】
従来、下水処理場や浄水場においては、泥土や土砂（以下、「汚泥物質」という。）が混入している流入水を一端沈殿池に導入し、ここで流入水に含まれている前記汚泥物質を沈殿分離させるようにしている。そして、沈殿した汚泥物質を、沈殿池内に設置した汚泥掻寄機にて該沈殿池の一端部に配置した汚泥ピット内に集泥した後、汚泥ポンプ等を用いて池外へ排出するようにしている。
【０００３】
この汚泥掻寄機として、例えば、図３の概略図で示すようなチェーンフライト式汚泥掻寄機が用いられている（特許文献１−２参照。）。
このチェーンフライト式汚泥掻寄機は、駆動軸５に主務スプロケットホイール１を、従動軸に従動スプロケットホイール２をそれぞれ取り付け、主務スプロケットホイール１及び従動スプロケットホイール２を沈殿池Ｐ内に配設し、かつ主務スプロケットホイール１と従動スプロケットホイール２の間に所定間隔で汚泥掻き寄せ用のフライト４を取り付けた無端チェーン３を張架し、駆動軸５を駆動用モータＭにて駆動することで無端チェーン３を沈殿池内で循環駆動する際、フライト４にて沈殿池の内底に沈殿する汚泥を汚泥ピット側に掻き寄せ排出するように構成している。
【０００４】
ところで、主務スプロケットホイール１及び駆動スプロケットホイール６を取り付けた駆動軸５には、図４に示すように（特許文献１の図２参照。）、２つの主務スプロケットホイール１、１の位置に設けた軸受９、９と、駆動軸５の端部を沈殿池の側壁に取り付けるための軸受９０、９０とを配設しているので、軸受の個数が多くなり、駆動軸５の据え付け及びメンテナンスに手数を要するものであった。
また、特許文献２に記載されているように、主務スプロケットホイールにおける歯飛び防止装置を取り付ける場合、この歯飛び防止装置を軸受の位置に取り付けるようにしなければならず、このため駆動軸の据え付けが困難になるとともに、メンテナンスにも手数を要していた。
【先行技術文献】
【特許文献】
【０００５】
【特許文献１】特開２０１０−１０４８６７号公報
【特許文献２】特開２００９−２６２０２３号公報
【発明の概要】
【発明が解決しようとする課題】
【０００６】
本発明は、駆動軸の支持強度を損なうことなくその軸受の個数の減少を図り、かつ据え付け、メンテナンスを簡易化するようにした汚泥掻寄機を提供することを目的とする。
【課題を解決するための手段】
【０００７】
上記目的を達成するため、本発明の汚泥掻寄機は、沈殿池内に配設された主務スプロケットホイール及び従動スプロケットホイール間に張架された無端チェーンにフライトを取り付け、無端チェーンを循環駆動させることによって池底に沈殿した汚泥を汚泥ピット側に掻き寄せるようにした汚泥掻寄機において、沈殿池の対向する側壁のそれぞれに突設した固定ブラケットに二叉ブラケットを上向きに突設し、この二叉ブラケットのそれぞれに軸受を固定して配設し、該２つの軸受間に駆動軸に固定される主務スプロケットホイールを配置するとともに、前記対峙するように配設された２組の軸受によって駆動軸の両端部を回転可能に支持するとともに、一方の軸受の外方に延設した駆動軸の延長部に駆動用モータにて駆動される駆動スプロケットホイールを固定し、前記各軸受に歯飛び防止装置を主務スプロケットホイールの外周方向に沿って位置するように配設したことを特徴とする。
【発明の効果】
【０００８】
本発明の汚泥掻寄機によれば、強度を損ねることなく駆動軸を支持する軸受の個数の減少を図ることができるので、駆動軸の据え付け及び主務スプロケットホイール等のメンテナンスが簡易化することができ、かつ安価に構成することができる。
【０００９】
そして、軸受に、駆動軸の支持機能及び歯飛び防止機能を持たせるようにすることにより、軸受の個数を減少させることができるので、据え付けが簡易に行え、また構成が簡易になる。
【図面の簡単な説明】
【００１０】
【図１】本発明の汚泥掻寄機の一実施例を示す正面縦断図である。
【図２】同駆動軸の軸受を示す説明図である。
【図３】汚泥掻寄機の説明図である。
【図４】従来の汚泥掻寄機における駆動軸の軸受を示す説明図である。
【発明を実施するための形態】
【００１１】
以下、本発明の汚泥掻寄機の実施の形態を、図面に基づいて説明する。
【００１２】
図１〜図３に、本発明の汚泥掻寄機の一実施例を示す。
【００１３】
下水処理場や浄水場に流入した流入水は、沈殿池Ｐにまず導入され、ここで固液分離により汚泥物質が沈殿して分離されるが、この沈殿池Ｐ内には汚泥掻寄機Ａが設置されているので、沈殿分離した汚泥物質は該汚泥掻寄機Ａにて汚泥ピットＰａ側へ掻き寄せられて池外へ除去される。
【００１４】
この汚泥掻寄機Ａは、図３に示すように、主務スプロケットホイール１（駆動スプロケットホイール）と複数の従動スプロケットホイール２、２が配置され、これらのスプロケットホイール１、２間に張架され、取り付けられ、かつ無端チェーン３の一部が池底に沿って移動する際、無端チェーン３に取り付けられたフライト４にて池底に沈殿した汚泥物質を掻き寄せられるようにして構成されている。
【００１５】
この無端チェーン３は、ステンレススチール等の鋼材製のものを用いることほか、使用環境が極めて劣悪な下でも耐用性を図るように合成樹脂製とすることもできる。この場合、主務スプロケットホイール１のピン１Ｐとの噛合を確実に行えるように、無端チェーン３の各駒にノッチ（図示省略）を形成する。
【００１６】
なお、本実施例では、汚泥ピット側に主務スプロケットホイール１と従動スプロケットホイール２とを上下に対向するように配置し、この池底Ｐｂの反汚泥ピット側端部にも従動スプロケットホイール２を配置し、この対向する両従動スプロケットホイール２、２間に張架される無端チェーン３が移動する際にフライト４により池底Ｐｂに沈殿した汚泥を掻き寄せるようにしている。
【００１７】
また、主務スプロケットホイール１を取り付けた駆動軸５には、図１に示すように、駆動軸５の端部に池上などに設置された駆動用モータＭにて駆動される駆動スプロケットホイール６を取り付け、駆動用モータＭにて駆動力を駆動軸５に伝達するようにする。
この場合、主務スプロケットホイール１は、並列的に対峙して配設される２条の無端チェーン３、３をそれぞれ張架できるように１本の駆動軸５に対峙して２つが配置される。
【００１８】
なお、無端チェーン３の各駒には、主務スプロケットホイール１のピン１Ｐと噛合するようにして係合段部となるノッチ（図示省略）を形成する。
したがって、無端チェーン３と噛合して駆動する主務スプロケットホイール１は、２枚の円盤１ａ、１ａを対峙するように配設し、かつ円盤の周回方向に沿って所定間隔で複数本のピン１Ｐを植設するようにして一体に構成するようにしている。
【００１９】
この各主務スプロケットホイール１は駆動軸５の所定位置に固定、特に限定されるものではないが、例えば、コッター等にて固定し、駆動軸５と共に主務スプロケットホイール１が一体となって回転駆動するようにする。
【００２０】
なお、この駆動軸５の支持は、図１〜図２に示すように、沈殿池の側壁Ｗの内側にほぼ水平にして突設する固定ブラケット７に二叉ブラケット８を上向きに突設し、この二叉ブラケット８に固定した２つの軸受９、９にて回転可能に支持するとともに、この２つの軸受９、９間に主務スプロケットホイール１を配置する。
【００２１】
また、この軸受９に歯飛び防止装置１０を支持する。
これにより、軸受９は、駆動軸５の支持機能及び歯飛び防止機能を有する駆動軸支持用と歯飛び防止装置用とを兼用するものとなる。
【００２２】
本実施例では、主務スプロケットホイール１の外周方向に沿って歯飛び防止装置１０を配設しているが、この歯飛び防止装置１０のプレートを主務スプロケットホイール１の外周部のチェーン巻き掛け角度領域となるように配設するものとする。
これにより、無端チェーン３に所定以上の負荷がかかっても無端チェーン３が主務スプロケットホイール１より飛び上がるようにして主務スプロケットホイール１から外れる、所謂歯飛びを防止して安定した駆動が行われるようにしている。
【００２３】
以上、本発明の汚泥掻寄機について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の汚泥掻寄機は、駆動軸の支持強度を損なうことなくその軸受の個数の減少を図り、かつ据え付け、メンテナンスが簡易に行えるという特性を有していることから、劣悪な環境下で使用される汚泥掻寄機の用途に好適に用いることができる。
【符号の説明】
【００２５】
Ａ    汚泥掻寄機
Ｐ    沈殿池
Ｐａ  汚泥ピット
Ｐｂ  池底
Ｍ    駆動用モータ
Ｗ    側壁
１    主務スプロケットホイール
１Ｐ  ピン
１ａ  円盤
２    従動スプロケットホイール
３    無端チェーン
４    フライト
５    駆動軸
６    駆動スプロケットホイール
７    固定ブラケット
８    二叉ブラケット
９    軸受
１０  歯飛び防止装置
【図１】
0005734728.tif 000002
【図２】
0005734728.tif 000003
【図３】
0005734728.tif 000004
【図４】
0005734728.tif 000005